(57)【要約】表示器を操作するための方法が提供される。その方法によれば、内容が取得され、そして内容に対するプロフィールが決定される。表示器により提示された内容を識別できる、プレゼンテーションスペース内で要素が検出される。プレゼンテーションスペース内で検出された要素の各々に対してプロフィールが決定される。検出された要素および内容のプロフールに対するプロフィールに基づき、プレゼンテーションに対する内容が選択される。
2006514355.tif 000002
【特許請求の範囲】
【請求項１】
少なくとも１つの表示器を操作するための方法であり、
表示器により提示された患者の内容を観察できる、プレゼンテーションスペース内に位置する人に対する個人的なプロフィールを検出し、
検出された人の識別子に対するプロフィールを決定し、
表示器上のプレゼンテーションのために、検出した各々の識別子に対するプロフィールに基づき、患者の内容を取得し、そして
取得した患者の内容に基づき内容を提示するステップを備える方法。
【請求項２】
内容を提示するステップは、個人的な識別子を検出すると、取得した患者の内容に基づき、自動的に内容を提示することを備える請求項１記載の方法。
【請求項３】
提示される内容は、個人的な患者に関連して取得された患者の内容のリスト化を備え、更に、選択された患者を表す入力を受け取り、そして、選択された患者に対する患者の内容を表示器に提示させることを備える請求項１記載の方法。
【請求項４】
個々の患者に関連する患者の得られた内容のリスト化は、秘密の情報を含まない請求項３記載の方法。
【請求項５】
検出された個人的な識別子に関連する各々の人から認証を要求し、そして、選択された患者に対し、患者の内容を提供する前にその認証を受け取るステップを更に備える請求項４記載の方法。
【請求項６】
患者の内容のプレゼンテーションの前に、各々検出された個人的な識別子に対して、認証を要求するステップを更に備える請求項１記載の方法。
【請求項７】
認証は、認証信号を受け取り、そして、認証信号が、個人の特定に関連する認証信号に対応することを確定するステップを備える請求項６記載の方法。
【請求項８】
認証信号は、少なくとも、個人的な識別子に関連した人から得られたバイオメトリック情報、声の情報、パスワード入力、および個人的な識別入力の１つを含む請求項７記載の方法。
【請求項９】
個人的な識別子を検出するステップは、個人的な識別子が検出されないなら、入場できない表示スペースを提供することを備える請求項１記載の方法。
【請求項１０】
磁気ストライプリーダおよび光学カードリーダの少なくとも１つにより、個人的な識別子が検出される請求項９記載の方法。
【請求項１１】
個人的な識別子は、無線周波トランスポンダーを備え、そして、プレゼンテーションスペース内で個人的な識別子を検出するステップは、プレゼンテーションスペース内のトランスポンダーからの無線周波信号を検出し、そして、検出された無線周波信号に基づき、プレゼンテーションスペース内の個人的な識別子を確認する請求項１記載の方法。
【請求項１２】
各々の個人的な識別子は、視聴権に関連し、そして、患者の内容は、アクセス権に関係し、プレゼンテーションのための内容を選択するステップは、加算的な方法で視聴権を結合し、そして、結合された視聴権およびアクセス権に基づき、プレゼンテーションに対する内容を選択することを備える請求項１記載の方法。
【請求項１３】
要素のプロフィールは視聴権を含み、そして、患者の内容は、アクセス権を含むプロフィールと関係し、プロフィールに基づきプレゼンテーションに対する内容を選択するステップは、減算的な方法で視聴権を結合し、そして、結合された視聴権およびアクセス権に基づき、プレゼンテーションに対する内容を選択することを備える請求項１記載の方法。
【請求項１４】
プレゼンテーションのための内容を選択するステップは、検出された個人的な識別子に対するプロフィールを、患者の内容に対するプロフィールと比較すること、および、プレゼンテーションのための内容を選択することを用いるステップを備え、検出された個人的な識別子に対するプロフィールは、内容のプロフィールに対応する請求項１記載の方法。
【請求項１５】
患者の内容は、プロフィールを有し、そして、患者の内容のプロフィールはアクセス権を含み、プレゼンテーションのための内容を選択するステップは、各々検出された個人的な識別子に対するプロフィールに基づく視聴権を決定し、そして、アクセス権が視聴権に対応する時のみ、プレゼンテーションに対する内容を選択するステップを備える請求項１記載の方法。
【請求項１６】
患者の内容は、患者の内容の特定の部分に関連した視聴権含む内容のプロフィールを有し、プレゼンテーションのための患者の内容を選択するステップは、プロフィールに基づき視聴権を決定し、そして、視聴権に対応するアクセス権を有する患者の内容のこれらの部分のみを提示するために選択することを備える請求項１記載の方法。
【請求項１７】
各々の個人的識別子に対するプロフィールを決定するステップは、各々の個人的な識別子を医療プロバイダーのクラスに分類し、そして、要素の分類化に基づき、視聴権を各々の個人的な識別子に割り当てることを備える請求項１記載の方法。
【請求項１８】
個人的な識別子の各々に対するプロフィールを決定するステップは、各々の個人的識別子を特定し、そして、その特定に基づき、各々の個人的な識別子に対する視聴権を得ることを備え、患者の内容を得るステップは、各々の検出された個人的な識別子に対する視聴権に基づき患者の内容を得ることを備える請求項１記載子の方法。
【請求項１９】
各々の個人的な識別子に対するプロフィールは、患者の内容が観察されるべき、視聴状態を示し、そして、プロフィールに基づき、視聴スペース内の周囲状態を調節するステップを更に備える請求項１記載の方法。
【請求項２０】
表示器を操作するための方法であり、
表示器により提示された内容を観察できる、プレゼンテーションスペース内の人に対する個人的な識別子を検出し、
個人的な識別子を用いて、プレゼンテーションスペース内の人を特定し、
それぞれの人に対して認証信号を要求し、
各々の特定された人から認証信号を受け取り、そして、各々の特定された人に対する認証信号が、前記人に対する個人的な識別子にリンクされた、認証信号テンプレートに対応するかを検証し、
検証された人に対し、聴衆メンバーの視聴権を決定し、
特定された人に対する視聴権を結合し、
患者の内容に関連して結合された聴衆の視聴権およびアクセス権に基づき、プレゼンテーションのための患者の内容を選択し、そして
選択された患者の内容の少なくとも一部を提示するするステップを備える方法。
【請求項２１】
プレゼンテーションスペース内で無線周波信号を検出するステップを更に備え、
特定された人に対する聴衆メンバーの視聴権を決定するステップは、検出された無線周波信号に基づき、視聴権を決定することを備える請求項２０記載の方法。
【請求項２２】
プレゼンテーションのための内容を選択するステップは、結合された視聴権に対応するアクセス権に関連した患者の内容のみをプレゼンテーションのために選択することを備える請求項２０記載の方法。
【請求項２３】
認証信号は、個人的な識別子に関連した人から得た、バイオメトリックな情報、声の情報、パスワード入力の１つの少なくとも一部含む請求項２０記載の方法。
【請求項２４】
表示器ための制御システムであり、
表示器で提示された患者の内容を観測できるプレゼンテーションスペースに位置する人に対する個人的な識別子を検出するように適合された検出器と、
プレゼンテーションスペースベースでの個人的な識別子を各々検出するためのプロフィールを決定するように、かつ、個人のプロフィールを用いて患者の内容を得るように、適合されたプロセッサとを備え、そのプロセッサは、得られた患者の内容に基づき患者の内容を表示器に提示させることを備える制御システム。
【請求項２５】
プロセッサは、提示された内容で、得られた患者の内容を示させる請求項２４記載の制御システム。
【請求項２６】
プロセッサは、個人的な識別子を検出すると、提示された内容を、自動的に提示させる請求項２４記載の制御システム。
【請求項２７】
提示された内容は、個々の患者に関連して得られた患者の内容のリスト化を備え、そして、選択された患者を示す入力を更に受け取るようにされ、そして選択された患者に対する患者の内容をディスプレイに表示させる請求項２４記載の制御システム。
【請求項２８】
個々の患者に関連して得られた患者の内容のリスト化は、秘密情報を含まない請求項２７記載の制御システム。
【請求項２９】
個人的な識別子に関連している人に対応して認証信号を生成する認証システムをさらに備え、プロセッサは、それぞれの検出された認証信号に対して、認証信号の要求を表示器に表示させ、プロセッサは、認証信号が受信される前では、表示器に秘密情報を提示させず、そして、プロセッサは、それぞれの認証信号がそれぞれの個人的な識別子に関連している認証信号に対応するかを検証する請求項２８記載の制御システム。
【請求項３０】
認証システムは、バイオメトリックなスキャニング装置、音声入力装置、パスワード入力、および個人的な識別入力の少なくとも１つを含む請求項２９記載の制御システム。
【請求項３１】
個人的な識別子が検出されない場合、それを展示スペースに提供する
個人的な識別子を検出するステップは、入場できる表示スペースを提供しない請求項２４記載の制御システム。
【請求項３２】
検出器は少なくとも磁気表面リーダー、および光学スキャナの１つを含む請求項２４記載の制御システム。
【請求項３３】
個人的な識別子は無線周波数トランスポンダーを備え、
検出器は無線周波数トランスポンダーから無線周波数信号を受け取るように、かつ、受信無線周波信号に基づき個人的な識別子を特定するように適合した無線周波数システムを備える請求項２４記載の制御システム。
【請求項３４】
それぞれの個人的な識別子は、視聴権と関連し、そして患者の内容は、アクセス権に関連し、プロフィールに基づきプレゼンテーションのための内容を選択するステップは、加算的な方法で視聴権を結合し、そして、結合された視聴権とアクセス権に基づき、プレゼンテーションのための内容を選択することを備える請求項２４記載の制御はシステム。
【請求項３５】
それぞれの個人的な識別子は、視聴権に関連し、そして、患者の内容はアクセス権に関連し、プレゼンテーションのための内容を選択するステップは、視聴権を減算的な方法で結合し、そして、結合された視聴権およびアクセス権に基づき、プレゼンテーションのための内容を選択することを備える請求項２４記載の制御システム。
【請求項３６】
プロセッサは、検出された個人的な識別子に対するプロフィールを、患者の内容に対するプロフィールと比較し、そして、プレゼンテーションのために選択された内容を用い、検出された個人的な識別子に対するプロフィールは、内容のプロフィールに対応する請求項２４記載の制御システム。
【請求項３７】
患者の内容はプロフィールを有し、患者の内容プロフィールはアクセス権を含み、そして、各々の検出された個人的な識別子に対するプロフィールに基づき、視聴権を決定することにより、プロセッサはプレゼンテーションに対する内容を選択し、そして、アクセス権が、視聴権に対応する時のみ、プレゼンテーションに対する内容を選択する請求項２４記載の制御システム。
【請求項３８】
患者の内容は、患者の内容の特定の部分に関連する視聴権を含む内容プロフィールを有し、プロセッサは、検出された個人的な識別子の視聴権に対応するアクセス権を持っている患者の内容のそれらの部分だけを選択する請求項２４記載の制御システム。
【請求項３９】
各々の個人的な識別子を医療の専門的なクラスに分類し、そして、視聴権を分類に基づき、各々の個人的な識別子に割り当てることにより、プロセッサは各々の個人的な識別子に対するプロフィールを決定する請求項２４記載の制御システム。
【請求項４０】
プロセッサは、識別子を用いてデータベースから各々の個人的な識別子に対する視聴権を得るに際し、各々の個人的識別子を特定することにより、個人的識別子の各々に対するプロフィールを決定し、そして、得られた患者の内容のステップは、各々の検出された個人的な識別子に対する視聴権に基づき患者の内容を得ることを備える請求項２４記載の制御システム。
【請求項４１】
各々の個人的な識別子に対するプロフィールは、患者の内容が観察されるべき、視聴状態を示し、そして、制御システムは更に、表示スペース内の周囲状況を制御するための制御デバイスを備え、そして、プロセッサは、更に、周囲の環境状態をプロフィールに基づき視聴スペースに調整するよう適合される請求項２４記載の制御システム。
【請求項４２】
各々の患者内容に対するプロフィールは、患者内容が観察されるべき視聴状態を示し、そしてプロセッサは、各々の個人的な識別子に対するプロフィールおよび個人的な内容に対するプロフィールに基づき、視聴スペース内の周囲環境状態を調節するよう適合される請求項４１記載の制御システム。
【請求項４３】
コントローラは、患者に関する内容を提示できる他の表示デバイスを制御するように更に適合され、そして、前記コントローラは、そのような表示デバイスに、得られた患者内容に基づく内容を提示させる請求項４２記載の制御システム。
【請求項４４】
表示器を制御するための制御システムであり、
表示器で提示された内容を観察できるプレゼンテーションスペース内の人々に関連する個人的な識別子を検出するために適合された検出器と、
個人的な識別子に関連する人に応答して認証信号を生成する認証システムと、
プロフィールがプレゼンテーションスペース内でそれぞれ検出された個人的な識別子に対するプロフィールを決定し、そして、個人的なプロフィールを用いて患者の内容を得るように適合されるプロセッサとを備え、
前記プロセッサは、表示器に、得られた患者の内容だけに基づいている内容を提示させ、ここで、プレゼンテーションスペース内のそれぞれの個人的な識別子に対する認証信号を受信し、そして、それぞれの認証信号は、個人的な識別子にリンクされる認証信号テンプレートに対応することが発見される制御システム。
【請求項４５】
認証システムは少なくともバイオメトリックなスキャニング装置、音声入力装置、パスワード入力、および個人的な識別入力の１つを含む請求項４４記載の制御システム。
【請求項４６】
コントローラは、少なくとも１つの他の表示器の操作を制御し、そして、認証信号がプレゼンテーションスペース内のそれぞれの個人的な識別子に対して受信された時、および、それぞれの認証信号が、は個人的な識別子にリンクされる認証信号のテンプレートに対応することが見いだされた時のみ、他の表示器が患者の関連した内容を提示するように適合される請求項４４記載の制御システム。
【発明の詳細な説明】
【発明の詳細な説明】
【０００１】
[関連出願との相互関連]
これは、Zacks その他により2002年10月11日に出願されたタイトル名「適応型の表示システム」の継続出願である。この発明は一般に表示システムに関する。
【０００２】
[発明の背景]
背部、および前部の投影テレビジョンシステム、プラズマ表示器、および他のタイプの表示器などの大規模なビデオシステムはますますポピュラーで手頃になっている。しばしば、そのような大規模なビデオ表示システムは、聴衆のメンバーに対して、より即座に、かつ、楽しい方法でオーディオまたは視覚の内容を提示するために、サランドサウンドや他の高度なオーディオ・システムに適応される。多くの新しい住居やオフィスは、そのようなシステムに適応できるように設計されたメディアルームや円形劇場を備えるようにして建築されることすらある。
【０００３】
また、ますます、そのような大規模なビデオ表示システムは、パーソナルコンピューティング・システムや、インターネット設備、デジタルケーブルプログラミング、および、そのような大規模なビデオ表示器・システムがテレビ会議、シミュレーション、ゲーム、対話的なプログラミング、イマーシブなプログラミングや汎用のコンピューティングなどの高度なイメージアプリケーションの一部として使用されるのを可能にするテレビジョンベースの双方向のウェブテレビシステムに基づく双方向のウェブのような他の情報処理技術と有効に結合されている。これらのアプリケーションの多くでは、大規模なビデオ表示器システムは、金銭取引や、カルテや、個人的なコミュニケーションなどの秘密保持に関する情報を示すために使用される。
【０００４】
特殊な価値として、病院の情報システム(HIS)かレントゲン写真情報システム(RIS)などの、患者への医療データのための情報管理を病院または通院患者に提供する、医療情報システムの要素として、大規模なビデオ表示器システムの使用がある。この環境では、コンピュータ断層 X 線写真、超音波、磁気共振イメージ作成、デジタルのレントゲン写真、またはコンピュータレントゲン写真のようなシステムで発生されたタイプのイメージ診断のような患者に関係した広範囲の種々の内容を与えるために大規模なビデオ表示器システムを使用することができる。また、そのような大規模なビデオ表示器システムは、遠隔医療、遠隔の健康および遠隔医療処置や相談の他の形態に対して用いられるタイプの画像を用いた用途に有用である。
【０００５】
そのような大規模なビデオ表示システムの使用における１つの固有の問題は、内容を非常に大きい表示エリアにわたって観察可能となるように、そのような大きい視覚スケール上に内容を表示することである。従って、表示システムからのかなりの距離で位置するかもしれない観察者は、意図された聴衆のメンバーの同意なしに内容を観測することができるかもしれない。カルテ、診断イメージ、および他の医療情報のプライバシーが最重要となるので、医療業界では、この問題は特に鋭敏である。医療設備、および/または、法的な要求での方針は、指定された医師およびスタッフのメンバーのみが特定の医療イメージ及び他の患者情報へのアクセスを持つことである。さらに、励行される制限に様々なレベルがあってもよい。例えば、患者のために１組の医学プロバイダーに出席すると、イメージおよび患者のデータを含むカルテは無制限にアクセスする手段を持つかも知れない。しかしながら、別の組みのプロバイダーは、特定の負傷か処置に関連している特定のイメージとデータのみに対してアクセスが許可されているかもしれない。
【０００６】
機密の内容が意図していない聴衆メンバーによって視聴されるのを防ぐ１つの方法は、表示システムの周りに物理的な制限を設置することであり、その結果、表示器に表示されたイメージは制御されたエリア内でのみ見える。壁、ドア、カーテン、バリア、および他の簡単な物理的なブロックシステムは、この目的のために有効に適用できる。しかしながら、そのような物理的な制限を確立することはしばしば不便であって、時折不可能である。従って、そのような大規模なビデオ表示システムが秘密性、または、機密性の内容を提示するために使用されるために必要な秘密性とセキュリティを提供するために他の手段が必要となる。
【０００７】
別のアプローチは、大規模なビデオ表示システムが、表示器に対し非常に狭い範囲の視野角で見えイメージを提示することである。例えば、非常に狭い画角を除いて、表示器で放たれたイメージの変調された光の伝播を妨げるために分極スクリーンを聴衆のメンバーと表示の間に置くことができる。視野の狭い角度が、人々が表示器で提示されたイメージを観測することができる位置の範囲を制限するので、このアプローチはしばしば好まれない。
【０００８】
別のアプローチは、意図されない聴衆のメンバーがプレゼンテーションスペースに入るか、または聴衆のメンバーが、故意されない聴衆のメンバーがプレゼンテーションスペースに入りそうであると感じた時、既知の表示器、および、意図された聴衆メンバーがトリガーできる消去釦または消去スイッチを用いる、表示器と関連した表示器制御プログラムの使用を含む。消去スイッチが手動でトリガーされた時、表示器システムは、機密内容の表示を停止するか、および／または、異なる内容を表示するように指示される。このアプローチは、提示されている内容と、プレゼンテーションスペースをモニターするタスクとに注意を配分する少なくとも１人の聴衆メンバーを必要とすることが理解されるであろう。これは、消去スイッチを制御する聴衆のメンバーに不必要な負担を与えることになる。
【０００９】
さらに別のアプローチは人相認識アルゴリズムの使用を含む。Maes その他による2001年２月５日出願の米国特許出願 No. U.S.2002/0135618のタイトル名 "System And Method for Multi-Modal Focus Detection, Referential Ambiguity Resolution and Mood Classification Using Multi-Modal Input" は、ユーザと相互に作用するために、人相認識アルゴリズムおよび他のアルゴリズムがコンピュータシステムを支援するために結合されたシステムを開示する。そこに説明されたアプローチでは、システムがコマンドを解釈するのを役立つために多モード入力が備えられる。例えば、ビデオシステムは、だれが命令を発したかを決定している間、音声認識システムはコマンドを解釈することができる。しかしながら、そこに説明されたシステムは、秘密の、または、権限のない、表示器のコンテンツの視聴を防ぐという問題を考慮していない。
【００１０】
したがって、必要であるものは、秘密の医療イメージおよび、表示器システムで提示される記録が、記録の秘密性を保存する方法で提示されるのを保証するように自動的に表示された内容を調整するための表示システムと表示方法である。
【００１１】
[発明の概要]
この発明の第１の態様では、提供されるものは、少なくとも１つの表示器を操作するための方法である。その方法によると、表示器で提示された患者の内容を観測することができ、かつ、プロフィールがそれぞれの検出された個人的な識別子のために決定される、プレゼンテーションスペースに位置する人々のために、個人的な識別子が検出される。それぞれの検出された個人的な識別子に対するプロフィールに基づく表示器上のプレゼンテーションに対して患者の内容が得られ、そして、得られた患者の内容に基づいている内容が提示される。
【００１２】
この発明のもう一つの態様では、表示器を操作するための方法が提供される。その方法によると、表示器で提示された内容を観測することができて、かつ、プレゼンテーションスペース内の人々が個人的な識別子を使用することで特定される、プレゼンテーションスペースの人々のために、個人的な識別子が検出される。認証信号は各人のために要求される。それぞれの特定された人からの認証信号は受信され、そして、それは、それぞれ特定された人に対する認証信号がその人のために個人的な識別子にリンクされた認証信号テンプレートに対応するのかについて検証される。検証された人に対する視聴権が決定され、そして、検証された人に対する視聴権は結合される。患者の内容は、結合された聴衆の見る権利およびに患者の内容に関連するアクセス権に基づくプレゼンテーションに対して選択され、そして、患者の内容の少なくとも選択された一部が提示される。
【００１３】
この発明のさらに別の態様では、表示器の制御システムを提供する。その制御システムは、表示器で提示された患者の内容を観測できるプレゼンテーションスペースに位置する人々に対する個人的な識別子を検出するように適合された検出器と、プレゼンテーションスペースベースでの個人的な識別子を各々検出するためのプロフィールを決定するように、かつ、個人のプロフィールを用いて患者の内容を得るように、適合されたプロセッサとを備える。そのプロセッサは、得られた患者の内容に基づき患者の内容を表示器に提示させる。
【００１４】
この発明のさらなる態様では、表示器を操作する制御システムを提供する。その制御システムは、表示器で提示された内容を観察できるプレゼンテーションスペース内の人々に関連する個人的な識別子を検出するために適合された検出器と、個人的な識別子に関連する人に応答して認証信号を生成する認証システムとを備える。プロセッサは、プロフィールがプレゼンテーションスペース内でそれぞれ検出された個人的な識別子に対するプロフィールを決定し、そして、個人的なプロフィールを用いて患者の内容を得るように適合される。そのプロセッサは、表示器に、得られた患者の内容だけに基づいている内容を提示させ、ここで、プレゼンテーションスペース内のそれぞれの個人的な識別子に対する認証信号を受信し、そして、それぞれの認証信号は、個人的な識別子にリンクされる認証信号テンプレートに対応することが発見される。
【００１５】
[発明の詳細な説明]
図１は、内容を提示するのに適応するこの発明のプレゼンテーションシステム10の第１の実施例を示す。ここで使用されているように、内容という用語は、音声、オーディオ、テキスト、感情の、または、グラフィックの情報または表現およびそれらの組み合わせのいずれかの形態に関係する。
【００１６】
図１に示した実施例では、プレゼンテーションシステム10は、アナログのテレビ、デジタル・テレビ、コンピュータモニター、投影システムまたは、イメージまたは視覚内容を含む信号を受信し、そして、その信号をプレゼンテーションスペースAで識別できるイメージに変換することができる他の装置などの表示装置20を備える。表示装置20は、ブラウン管、液晶表示器、有機光放射装置、有機電界発光装置、または他のタイプの表示要素のごときイメージ変調光源22を備える。代わりに、イメージ変調光源22は、周知な前方または後方の投影表示装置、ホログラフィックおよび／またはイマーシブタイプの表示装置のすべてを含むことができる。また、表示ドライバ24も備えられる。表示ドライバ24は、画像信号を受け取って、これらの画像信号を、イメージ変調光源22にイメージを表示させる制御信号に変換する。
【００１７】
また、プレゼンテーションシステム10はオーディオ・システム26を備える。オーディオ・システム26は、プレゼンテーションスペースA内のどこでも検出することができる方法で、内容のオーディオ成分を表示できる従来のモノラルの、または、ステレオのサウンドシステムを含むことができる。代わりに、オーディオ・システム26は、関連するオーディオ内容の２つ以上のチャンネルをプレゼンテーションスペースAに提供するための系統的な方法を提供するサラウンドサウンドシステムを備えることができる。また、オーディオ・システム26は、プレゼンテーションスペースAの特定の部分にオーディオを指向させるのに使用することができる他の形式のオーディオ・システムを備えることができる。そのような指向オーディオ・システムに関する１つの例は、本発明の譲受人に譲渡された米国特許出願 シリアル No.09/467,235のAgostinelli その他による1999年12月20日出願のタイトル名「指向オーディオを有するピクトリアル表示装置」に開示されている。
【００１８】
また、プレゼンテーションシステム10は制御システム30を組み込む。制御システム30は信号プロセッサ32とコントローラ34を備える。内容の供給36は、信号を持つ内容を信号プロセッサ32へ与える。内容の供給36は例えば、デジタル・ビデオディスクプレーヤー、ビデオカセットプレーヤー、コンピュータ、デジタルまたはアナログのビデオまたはスチールカメラ、スキャナ、ケーブルテレビネットワーク、インターネット、他の情報通信システム、電子メモリまたはプレゼンテーションのための内容を含む信号を伝えることができる他の電子装置を含むことができる。信号プロセッサ32は、その内容を受け取って、その内容をプレゼンテーションのために適合させる。この点で、信号プロセッサ32は、内容を持っている信号からビデオ内容を抜粋して、そして、ビデオ内容を表示するために、イメージ変調光源22にビデオ内容を表示させる。同様に、信号プロセッサ32は、信号を有する内容から音声信号を抽出する。抽出された音声信号は、オーディオ・システム26に提供され、それは、音声信号をプレゼンテーションスペースAで聞くことができる可聴形態に変換する。
【００１９】
コントローラ34は、イメージ変調光源22により、信号プロセッサ32によって受け取られたイメージを表示させる。図１で示された実施例では、表示装置20の様々な特徴に対してローカル制御を可能にするためにユーザインタフェース38を備える。例えば、１人以上の聴衆のメンバーが色、コントラスト、明るさ、音量、内容のチャンネル選択などのシステム調整の好みに入ることを許可するようにユーザインタフェース38を適合させることができる。コントローラ34は、ユーザにより要求された調整を特徴付ける信号をユーザインタフェース38から受け取り、そして、表示装置20によって提示されたイメージが要求されたシステム調整を引き受けるように、信号プロセッサ32に適切な命令を与える。
【００２０】
同様に、プレゼンテーションシステム10によるプレゼンテーションのために、プレゼンテーションシステム10のユーザが、プレゼンテーションシステム10をイネーブルするかディセーブルにする入力に入るか、および／または、内容の特定のチャンネルを選択することを許可するように適合させることができる。ユーザインタフェース38は以下で詳細により詳しく説明されるように、較正に使用するための他の入力を備えることができる。例えば、デバイスの操作を制御するために、可聴信号を認識し、そして、コントローラ34により使用することができる信号に認識を与える、音声認識モジュールにユーザインタフェース38を適合させることができる。
【００２１】
また、ある内容が提示されるかどうかで影響を及ぼす要素をプレゼンテーションスペースA内で検出するために、サンプルプレゼンテーションスペースAにプレゼンテーションスペースモニターシステム40が備えられる。上述したように、プレゼンテーションスペースAは、プレゼンテーションシステム10によって提示された内容を判別できるいずれのスペースまたは領域を備えてもよい。プレゼンテーションスペースAは多くの形態を採用できる。例えば、図１で示された実施例では、表示装置20によって提示された内容は、壁51によって制限される。代わりに、プレゼンテーションシステム10が小売店、鉄道駅または空港ターミナルでの表示領域のようなオープンのスペースで実施される場合、プレゼンテーションスペースAは、プレゼンテーションシステム10の光学表示能力によって制限されるであろう。同様に、プレゼンテーションシステム10がモバイル環境で操作される場合、プレゼンテーションシステム10が動かされるのに従ってプレゼンテーションスペースAが移動される。
【００２２】
図１で示された実施例では、プレゼンテーションスペースモニターシステム40は、シーンからの光を、光を電気信号に変換するイメージセンサ46上に合焦させる撮影レンズユニット44を備えるアナログかデジタルの画像キャプチャーユニット42などの従来のイメージキャプチャー装置を備える。撮影レンズユニット44とイメージセンサ46は協働して、プレゼンテーションスペースAを含んでいるイメージをキャプチャーする。
【００２３】
イメージキャプチャーユニット42によりキャプチャーされたイメージは、信号プロセッサ32に供給される。信号プロセッサ32は、キャプチャーされたプレゼンテーションスペースAについてのイメージ内でイメージ要素を検出するためにイメージを解析する。プレゼンテーションスペースA内で見つけることができるイメージ要素に関する例は、聴衆のメンバー50、52、および54またはドア56か窓58か、プレゼンテーションシステム10によって何が提示されるかで影響を持つかもしれない他のアイテムを含む。そのような他のアイテムは、ビデオカメラ、デジタルスチールカメラ、またはオーディオキャプチーデバイスと同様ないずれかの他のイメージキャプチャーデバイスなどの内容キャプチャーデバイスも含むことができる。要素プロフィール60のソースが備えられる。
【００２４】
要素プロフィール60のソースは、光の、または磁気の、または電子の記憶装置かリモートネットワークによって提供された記憶装置などのメモリ素子であるかもしれない。また、要素プロフィール60のソースは、信号プロセッサ32かコントローラ34などのプロセッサで実行のためのアルゴリズムを備えることができる。そのようなアルゴリズムは、イメージキャプチャーユニット42により得られたプレゼンテーションスペースのイメージで見つけられた要素の解析に基づくプロフィール情報を決定し、そして、図２に関して説明されるようにプロフィールを特定された要素に割り当てる。
【００２５】
図２は、プレゼンテーションシステム10などのプレゼンテーションシステムを操作するための方法の１実施例に関するフローチャートを示す。図２で示されるように、プレゼンテーションシステムは初めに較正される(ステップ110)。図３に示されるように、較正の間、プレゼンテーションスペースAのイメージを含む較正イメージを得る(ステップ112)。プレゼンテーションスペースA内で存在する、または存在できる要素を特定するために較正イメージを用い(ステップ114)、そして、で存在している場合があります、そして、各要素に対してプロフィールが決定される(ステップ116)。
【００２６】
較正の間に特定された要素は、例えば、プレゼンテーションスペースA内に存在する聴衆のメンバー50や、52や54などを含むことができる。プレゼンテーションスペースのイメージか複数のイメージを分析するのにフェイス認識か他のソフトウェアを使用することで、そのような人々を特定することができる。この点で、較正の間に使用される較正イメージは、プレゼンテーションスペースにいそうな人々を特定するのを支援するフェイス認識ソフトウェアに用いることが出来る特定の人または彼らの特定の特性のイメージを含むことができる。プロフィールの情報は各人に割り当てられる。プロフィールは、観察するために人に権利が与えられる内容の性質を特定する。例えば、人が大人の聴衆メンバーであることが決定された時、視聴権は、子供聴衆のメンバーに関連した視聴権より広いかもしれない。別の例では、聴衆メンバーは、他の大人の聴衆メンバーにとって、手があいていない大人に関連して選択された、他の大人の聴衆のメンバーにとって利用できない情報にアクセスする手段を持ってもよい。プロフィールはさまざまな方法で視聴権を割り当てることができる。例えば、アメリカ、カリフォルニア、エンシノの米国動画協会(MPAA)によって提供されたものなどの評価に関して視聴権を決定することができる。これが完了すると、それぞれの要素は、１つ以上の評価で関連付けがなされ、そして、要素に関連した視聴権は、関連している評価で決定される。しかしながら、また、個別に聴衆メンバー50、52、および54を特定しないでプロフィールを割り当てるのが可能であることみも理解するであろう。これが実施されると、プロフィールを階級のビューアーに割り当てることができる。例えば、聴衆メンバーの大人の階級に関連した権利の１組および、子供の階級に関連した権利の別の１組でもって、プレゼンテーションスペースA内の人々を大人および子供に分類することができる。
【００２７】
また、プロフィール情報を人々以外の要素に割り当てることができる。プレゼンテーションスペースA内の窓や、ドアや、ブラインドや、カーテンや他の物などのアイテムにプロフィールを割り当てることができる。例えば、ドアが開いていることをイメージが示すとき、表示権利の１つのレベルの説明するプロフィールをドア56に割り当て、ドアが部分的に開いている時は権利の別の組みを、そして、ドアが閉じている時は権利のさらに別の組みを割り当てることができる。
【００２８】
別の例では、窓の状態に関連する、種々の視聴権を与えるプロフィールを窓58に割り当てることができる。例えば、窓58の外に視聴者が全く検出されないときは、権利の１組が窓に割り当てられ、窓58の外に視聴者が検出されないときは、権利の別の組が窓に割り当てられる。
【００２９】
また更に別の例では、プレゼンテーションスペース監視システム40により、イメージ化されたプレゼンテーションスペースAの部分(カーペット領域、家具などのように頻繁に変化しない部分)を、静的な領域要素として識別できる。イメージをプレゼンテーションしている間に静的な領域要素が変化した時に、イネーブルにされる視聴権を特定するプロフィールを、静的な領域要素に割り当てることができる。
【００３０】
別の例では、イメージキャプチャーユニット42により、イメージ化された、内容の表示の間に変化しないことが期待されるプレゼンテーションAの部分を識別でき、その変化は、内容に関連している権利の決定に頻繁に関係していない。例えば、大型箱時計(不図示)をシーンに存在させることができる。その時計は、その面にターン用のハンドおよび動く振り子を持つ。従って、内容が一定の期間、提示される場合、変化は時計の外観に起こるであろう。しかしながら、これらの変化は見る権利の決定に関連しない。したがって、これらの領域は流動的な要素として特定され、そして、どんな内容を提示したらよいかを決定する際に、流動的な要素における変化が無視されるべきかを示すそれぞれの流動的な要素にプロフィールが割り当てられる。
【００３１】
最後に、それは、未知の要素がプレゼンテーションスペースA内に存在しているとき、プレゼンテーションスペースAに対する１組の権利状態を決定することは有用かもしれない。例えば、“未知”の要素のためのプロフィールを決定することは有用かもしれない。未知の要素のプロフィールは、未知の人か要素における未定義の変化が起こる権利設定を決定することに使用される。
【００３２】
較正プロセスが手動の校正プロセスとして記述しているが、事前に決定された要素のクラスのために、事前に決定されたユーザのクラスをサーチするために、プレゼンテーションスペースをスキャンすることにより自動モードで較正プロセスを実行することができることも理解されるであろう。
【００３３】
いったん較正されると、プレゼンテーションシステム10は、内容を見る希望を決定して、表示モード(ステップ120)に入る。通常、この希望は、ユーザインタフェース38を用いて示される。しかしながら、プレゼンテーションシステム10は、例えば、コントローラ34が特定の日時にプレゼンテーションシステム10を動かすようにプログラムされるので、または例えば、コントローラ34が、表示器でのプレゼンテーションのために新しい信号が受信されたことを決定するので、コントローラ34でアクティブにされ、プレゼンテーションシステム10がアクティブにされるべきであることを決定する。
【００３４】
信号プロセッサ32は、内容を持っている信号を分析して、この内容に関連しているアクセス権を決定する(ステップ130)。アクセス権は、内容を見るために推薦されるか、または必要である状態または状態の組みを特定する。アクセス権は内容を見るのに推薦されるか、または必要である状態の状態かセットを特定します。例えば、アクセス権を決定するためにMPAA評価を用いることができる。代わりに、アクセス権は、提案された内容の分析により決定することができる。例えば、コンピュータなどのデジタル情報を提示するために、表示器が要求される場合、情報の内容は、内容に含まれた情報に基づいて分析することができ、そして、評価を割り当てることができる。また、特定の内容のためのアクセス権は、較正の間に、手動で割り当てることができる。
【００３５】
さらに別の代替手段では、聴衆メンバーは、聴衆メンバーがアクセス権を決定することを望んでいるあるクラスの内容を定義することができる。例えば、聴衆メンバーは、個人的な内容に対し、より高いレベルのアクセス権を定義することができる。内容が分析されるとき、個人的な内容を含むシーンは、内容の解析により、または、個人的な内容を示す内容に関連したメタデータの解析により、特定されることができる。そして、自動的にそのような内容を適切なアクセス権に関連づけることができる。 そして、プレゼンテーションスペースAはサンプリングされる(ステップ140)。この具体化では、イメージキャプチャーユニット42がプレゼンテーションスペースAのイメージをキャプチャーするとき、このサンプリングが実行される。プレゼンテーションスペースモニターステム40の光学特性によって、フィールドの異なった深層で異なったイメージを得ること必要であるかもしれず、そのため、得られたイメージは、シーン内の要素の識別を可能にすることができるくらいの焦点で全体のプレゼンテーションスペースについて表現する。
【００３６】
そして、イメージか複数のイメージは、イメージ内の要素を検出するために分析される(ステップ150)。パターン認識か他の既知の画像解析アルゴリズムを使用することで画像解析を実行することができる。そして、この分析に基づいてイメージ内の各要素のためのプロフィールを入手する(ステップ160)。
【００３７】
そして、プレゼンテーションスペースAに提示されることになっている内容は選択される(ステップ170)。１つ以上の要素がプレゼンテーションスペースAで特定される場合、このステップは、要素プロフィールを結合することを伴う。これをできる様々な方法がある。 要素プロフィールは、追加的な方法で、調べられた要素プロフィールの各々および、要素に関連する権利の合計に基づき選択された内容と結合できる。表１は、このタイプの例を示す。 この例では、３つの要素(大人、子供、およびオープンドア)がプレゼンテーションスペース内で検出される。この例では、視聴権は、MPAA評価のスケールに基づく。
【００３８】
【表１】
2006514355.tif 000003
【００３９】
この例でわかるように、結合された視聴権は、結合した視聴権は大人の視聴権のすべてを含むが、子供要素とオープンドア要素は、より少ない視聴権を持つ。
【００４０】
また、減算の方法でプロフィールを結合することができる。これが実施される場合、プレゼンテーションスペース内の各要素に対するプロフィールは調べられ、そして、聴衆のための権利は、例えば、部屋の要素の１つに対するプロフィールの１つに関連している権利の最も低いレベルに引き下げられる。この例は表２に示される。この例では、プレゼンテーションスペースは、図１で関連して述べたものと同じ大人要素、子供要素およびオープンドア要素を含む。
【００４１】
【表２】
2006514355.tif 000004
【００４２】
しかしながら、視聴権が減算の方法で結合されるとき、結合した視聴権は、最も低い組みの権利を持つ要素(オープンドア要素)の権利に制限される。他の構成もまた確立できる。例えば、プロフィールは、それぞれのタイプの内容に関連している視聴プロフィールを持っている各要素で、乱暴な内容、熟している内容、財政的な内容または個人的な内容などの内容タイプの分析により決定することができる。そのような組み合わせの結果、要素の視聴権の組みは決定され、その後、選択決定をするために使用することができる。
【００４３】
そして、結合された、要素に対するプロフィールおよび内容のためのプロフィールとに基づき、内容は選択される(ステップ170)。結合した要素プロフィールは視聴権の組みもたらす。この視聴権の組みは、内容プロフィールから得られた権利情報と比較することができる。視聴権の組みに対応するアクセス権の組みを持っている内容は、プレゼンテーションのために選択される。表１の例では、PG評価は、G, PG, および PG-13評価の内容を含む結合された視聴権に対応するので、PGの評価の内容をプレゼンテーションのために選択できる。逆に表２の例では、PG評価が結合された視聴権(表２の場合、G評価に限定される)に対応しないので、PG評価は提示できない。上述で気づくように、視聴権およびアクセス権は、異なった方法で割り当てることができる。従って、異なった方法で選択プロセスを実行することができる。
【００４４】
例えば、内容が複数のストリームで受信される場合、マルチケーブルのチャンネル、選択されたプログラミングまたは選択されたチャンネルのようなものは阻止することができる。内容が、デジタルビデオディスク上に記録された映画などのような単一のストリームの内容を備える時、選択されたビデオディスク、および/または、内容の選択された部分を切除することができる。テキストに基づいている内容の解析および、全体で阻止された、または特に敏感な部分を切除することにより、財政的でかつ他のテキストベースの情報を特定することができる。
【００４５】
１つの代替の具体化では、減じられたアクセス権の組みに関連する部分、および増大されたアクセス権の組みに関連する部分を持つことで、内容の第１のストリームを利用できる。増大されたアクセス権の組みを持つ第１のストリームの部分に対応する内容の部分を持つが、より低いアクセス権の組みを持つために変更された内容を有することで、内容の第２のストリームを利用できる。この実施例では、プレゼンテーションのために内容を選択するステップは、視聴権の組みが、内容の第１のストリームの部分に関連するより大きいアクセス権の組みに対応しないことを決定すること、および、このような第１のストリームの部分を代替するために、内容の第２のストリームからプレゼンテーションの内容を選択することを備える。
【００４６】
次に、選択された内容は提示され(ステップ180)、そのプロセスは、内容のプレゼンテーションを中止するのが必要になるまで、繰り返される(ステップ190)。各反復の間、プレゼンテーションスペースの要素構成における変化を検出することができる。例えば、人々がプレゼンテーションスペース内を動き回る時に、そのような変化が起きる。そのような変化が検出されたとき、さらに、この変化に適応するように、自動的に、内容が提示される方法を調整することができる。例えば、聴衆メンバーがプレゼンテーションスペースの一方側からプレゼンテーションスペースの他方側へ移動した時、視覚体験を適正化するために、表示器内のテキスト、グラフィック、ビデオ要素のごとき提示される内容を、表示器の関係で変えることができる。
【００４７】
他のユーザの好みの情報は、要素プロフィールに組み入れることができる。例えば、上述で気付くように、プレゼンテーションシステム10は、ユーザインタフェース38を通してシステム調整を受け取ることができる。１つの具体化では、これらの調整は較正プロセスの間に入ることができ(ステップ11O)、そして、プレゼンテーションスペースモニターシステム40は、どの聴衆メンバーがどんな調整に入ったかを決定するために、および、聴衆メンバーに関連したイメージ要素に対するプロフィールで調整の好みを取り入れるために、適合させることができる。プレゼンテーションスペースA内の要素が特定の聴衆メンバーに関連させるために決定している、操作の間に、信号プロセッサ32は提示された内容を調整するためシステムの調整好みを用いることができる。１人以上の聴衆メンバーがプレゼンテーションスペースA内で特定された時、システム調整好みは、結合され、プレゼンテーションシステム10の動作を駆動するために用いられる。
【００４８】
上で説明したように、プレゼンテーションスペースモニターシステム40は単一のイメージキャプチャーユニット42を備える。しかしながら、また、プレゼンテーションスペースモニターシステム40は、１つ以上のイメージキャプチャーユニット42を備えることができる。
【００４９】
図４で示されているように、プレゼンテーションシステム10は、ビデオ会議の目的のために有効に適用することができる。この点で、コンパチブルな遠隔のビデオ会議システムに送信することができる、オーディオ、ビデオ、および他の信号を送受信するために、オーディオ・システム26、ユーザインタフェース38、およびイメージキャプチャーユニット42を使用することができる。このアプリケーションでは、プレゼンテーションシステム10は、遠隔システムから内容を含む信号を受信し、そして、その内容のビデオ部分を表示装置20に表示できる。この具体化で示されたように、表示装置20は、ユーザ202を示す反射イメージの部分200に、プレゼンテーションスペースAのキャプチャーされたイメージから得られた本当の鏡像か仮想の鏡像を与える。表示装置20の受信された内容の部分204は、受信された内容のビデオ部分を示す。反射イメージの部分200と受信された内容の部分204は、異なったサイズにされるか、またはユーザ202により、流動的に調整できる。内容のオーディオ部分は、オーディオ・システム26で受信され、出力され、それはこの実施例ではスピーカー・システム206を含む。
【００５０】
上で説明された具体化では、プレゼンテーションスペースモニターシステム40は、イメージキャプチャーユニット42を使用することでプレゼンテーションスペースAをサンプリングするものとして記述されている。しかしながら、他の方法でプレゼンテーションスペースAをサンプリングすることができる。例えば、プレゼンテーションスペースモニターシステム40は、従来の無線周波数サンプリングシステム43などの他のサンプリングシステムを使用することができる。１つのポピュラーな形態では、プレゼンテーションスペース内の要素は、ユニークな無線周波数トランスポンダーに関連する。無線周波サンプリングシステム43は、ポーリング信号を出力するトランシーバを備え、そのトランシーバに対して、プレゼンテーションスペース内のトランスポンダーは、自己認識信号で応答する。 無線周波サンプリングシステム43は、その信号を検出することにより、プレゼンテーションスペースA内の要素を特定する。また、さらに、典型的に録音装置によって出力されるような、プレゼンテーションスペース内の無線周波数信号も検出することができる。また、プレゼンテーションスペース内の要素を検出するために、および／又はプレゼンテーションスペース内の要素の状態を検出するために、他の従来のセンサシステム45を使用することができる。そのような検出器は、ドアが開いているかどうか、窓のブラインドが開いているかどうかを決定するために、スイッチおよび他のトランスポンダーを含む。そのようなシステムを使用して検出された要素は、上述した方法で、較正の間にプロフィールが割り当てられることができ、そのプロフィールで、結合された視聴権を決定する。また、イメージキャプチャーユニット42、無線周波サンプリングシステム43、およびセンサシステム45をは、プレゼンテーションスペースモニターシステム40内で組み合わせて使用することができる。
【００５１】
ある設備では、プレゼンテーションスペースに近づいているかもしれない人々などの要素を検出するためには、プレゼンテーションスペースAの外であるが、プレゼンテーションスペースAに近い領域をモニターすることは有益であるかもしれない。これは、オーディオ内容が検出される前のように、プレゼンテーションスペースAに侵略されるか侵入される前に、表示器上の内容または表示に関連したオーディオの内容が調整されることを可能にする。複数のイメージキャプチャーユニット42の使用は、そのような領域をモニターするために適合させられた無線周波サンプリングシステム43またはセンサシステム45の使用のような目的に有用に適用されてもよい。
【００５２】
図５を参照すると、プレゼンテーションシステム10、および表示装置20は、ネットワーク222上のより大きい画像診断および記録メインテナンスシステム220の一部として示される。図５の実施例では、画像診断と記録メインテナンスシステム220は、患者のデータベース224を含み、それは、限定されないが患者データと医療イメージを含む患者に関する内容を含む。画像診断および記録メインテナンスシステム220はまた、患者に伝える情報を提供することができるエックス線、超音波装置、他の試験またはモニタリング設備のような１つ以上のイメージキャプチャーシステム226を含む。また、示された具体化では、画像診断、および記録メインテナンスシステム220は、立体的な3Dイメージ、および録画サービス230のごとき特徴を提供する強化された表示装置228を含む。
【００５３】
図５の概要のフォーム、および図６の斜視図で示されるように、表示装置20は、患者に関連した内容の視覚および査定に適している環境を提供する観察部屋240に位置する。図６で示されているように、視聴部屋240は、表示装置20、強化された表示装置228、およびエックス線透視などのような通常の医療イメージを見るための照明ボックス232を含む他の形式の画像診断システムが組み込まれる。照明ボックス232は、通常の医療イメージを見ることおよびネットワークから得た追加的なイメージおよび情報を提供することの双方を可能にする能力、通信システム(不図示)、他の周知な医療画像処理および情報供給情報(不図示)を持つことができる。表示装置20は、プレゼンテーションスペースA内に居る人々50、52がイメージの内容を見られるように、医療イメージと情報を提示することができる。
【００５４】
図７は、画像診断およびメインテナンスシステム220の一部としてのプレゼンテーションシステム10を操作するためのメソッドの第１の具体化を記したフローチャートを示す。図７の具体化では、この方法の第１のステップにて、個人的な識別子がプレゼンテーションスペースA内に位置する人々のために検出される(ステップ250)。さまざまな方法でこれが実行できる。１つの具体化では、これはプレゼンテーションシステム10によって提供されたセンサシステム242を用いて実行される。センサシステム242は、プレゼンテーションスペースA内およびその近傍に居る人216 および 218を識別するために、プレゼンテーションスペースAおよび、追加的にプレゼンテーションスペースAの近くをスキャンする。センサシステム242は、上で説明されたプレゼンテーションスペースモニタシステム40のいずれの形態を備えてもよく、そして、上で説明された技術を使用することでプレゼンテーションスペースAと他の領域をモニターすることができる。
【００５５】
図５、６および７の具体化では、プレゼンテーションスペースA内で個人的な識別子を検出するステップは、人々216と218に関連づけられた個人的な識別子234を検出することによって、実行される。特に図５、６および７で示した具体化では、それぞれの個人的な識別子234は、上で説明した無線周波トランスポンダーを有し、そして、センサシステム242は、上で説明したようなトランシーバなどの従来の無線周波サンプリングシステム43を使用して無線周波トランスポンダーを検出する。
【００５６】
別の実施例では、センサシステム242への個人的な識別子が、ドア244の操作を制御することにより、視聴部屋240へのアクセスを制御する人々216と218でないなら、視聴部屋240は、人々216および218のような人が視聴部屋240にアクセスすることを許可しない。このように、人々216と218は、最初に個人的な識別子を提供しないと、プレゼンテーションスペースAに入ることができない。このように、プレゼンテーションスペースA内の各人に対する個人的な識別子を決定することができる。この具体化を用いると、センサシステム242は、上で説明した無線周波検知システムを備えることができるか、磁気カードストライプリーダ、光カードリーダ、または同様な装置を備えることができる。
【００５７】
それぞれの検出された個人的な識別子234は、個人的な識別子234に関連づけられた人216か人218などの人を特定するのに使用することができる情報を提供する。コントローラ34は、それぞれの検出された個人的な識別子に対するプロフィールを決定するために、この特定用の情報を用いる(ステップ252)。これは種々の方法で実施できる。 例えば、それぞれの個人的な識別子234は、図示しないメモリを持つことができ、個人的な識別子234を持っている人に関連するプロフィール情報がそのメモリに格納される。別の具体化では、画像診断および記録メインテナンスシステム220は、人のデータベース236を取り入れることがもでき、これは、カルテを閲覧することが許可された各々の人に対するプロフィールのような情報を維持し、かつ、表示コントローラ34かデータベース222が、人が特定のカルテにアクセスする手段を持っていることを許可するかどうかを決定することができる情報を提供する。
【００５８】
また、各人に対するプロフィールは、認証情報を取り入れることができる。そのような認証情報が提供されると、任意の認証ステップ254を実行することができる。認証情報は、特定された人が行うべき認証動作を識別し、そして、物理的に個人的な識別子234を提示する人が、実際にシステムが仮定する人であることを保証するのに使用することができるその動作に関する情報は、個人的な識別子234に関連する。その認証動作は例えば、パスワード入力、個人識別番号、音声信号、親指の指紋の跡スキャン、網膜のスキャン、または他のそのような入力などのバイオメトリックな入力のためにバイオメトリックな特徴を備えることができる。オーディオ入力システムとして、図５に示された認証入力システム229は、そのような認証入力を受け取って、認証信号を生成する。受信された認証信号は、個人的な識別子234に関連している認証信号と比較される。受信された認証信号が個人的な識別子234に関連している認証信号に対応していると、個人的な識別子234を持っている人の同一性が正統であると考えることができる。
【００５９】
プロフィールを、唯一人に関連づけられた個人的な識別子に割り当てることができることを理解できるであろう。代わりに、分類化したタイプのプロフィールがそれぞれの個人的な識別子234に提供することができる。これが完了すると、それぞれの個人的な識別子は、個人的な識別子234に関連した各々の人を、クラス内の人々と分類化する。視聴権は、個人的な識別子234に関連する人のクラスに基づく各々の検出された個人的な識別子234に割り当てられる。
【００６０】
コントローラ34がいったん、プレゼンテーションスペースA内のそれぞれの人の同一性を特定して任意に認証すると、そのような人々に関連する患者の内容を得ることができる。また、これは、それぞれの個人的な識別子に対するプロフィールに格納された情報を用いて実行される(ステップ256)。この点で、各プロフィールは、プレゼンテーションスペースA内の各人が視聴する権利を与えられた患者の内容について特定、または、一般的な分類を特定する視聴権を含むことができる。コントローラ34と聴衆メンバー50は、特定の患者に関連する患者の内容を提示するか、または提供するかを決定するために、これらの視聴権を使用することができる。
【００６１】
例えば、あるタイプの患者の内容は、法的な定義と制度上の方針に基づく特定の視聴権を必要とする秘密性であると自動的に、考慮することができる。代わりに、内容を観察するのに必要な視聴権のレベルをより明確に決定する、アクセス権を、選択された患者の内容に割り当てることができる。この代替では、選択された内容が利用可能に作られているかを決定するために、コントローラ34は単に、選択された内容のアクセス権をそのような人216に関連する視聴権と比較する。
【００６２】
上述で気付くように、選択された内容が提示される時に、複数の人がプレゼンテーションスペースAに位置することがしばしばある。そのような状況では、プレゼンテーションスペースA内で、または任意に、プレゼンテーションスペースAの近傍で検出されたそれぞれの個人的な識別子234に関連するプロフィールから各人に対し視聴権が得られ、その視聴権は、選択された内容が得られるかどうかを決定するのに用いられるために、結合される。
【００６３】
そして、得られた患者の内容に基づく内容は提示することができる。提示された内容は、例えば、実際に患者に関連する得られた内容、および、得られた患者に関連した内容から得られる患者の内容を備えることができる。例えば、提示された内容は、患者の内容の統計的な内容の解析の概要、患者の内容に基づくチャートおよびグラフ、および/または、得られた患者の内容に基づく警告および注意を備えることができる。
【００６４】
人々がしばしば１人以上の患者の処置に関連するので、コントローラ34は、どの患者の内容がプレゼンテーションスペースAにいる人216や人218などの人々に関連しているかを決定して、そして、これらの人々が最初に検出されたとき、検出された人々に関連する利用可能な患者のリストを呈するモードで動作可能である。このリストは、秘密の医療の、または、他の患者の内容を含まない方法で提供できる。そのようなリストが備えられると、認証のステップは、リストから選択が行われるまで延期することができる(ステップ254)。
【００６５】
図５、６で示されるように、視聴部屋240は、表示装置20以外に、真上からの照明238などの光源を含むことができ、これは表示器10による内容のプレゼンテーションを妨げる光を発生させる。従って、プレゼンテーションシステム10は、頭上の照明のような周囲光と相互作用するのに適合されるようにし、かつ、提示された内容の知覚された外観を改善するために照明の角度を調節するコントローラ34を持つことができる。そのような調整は、内容、およびプロフィール情報のタイプに基づいて行える。また、同様に、強化された表示装置228か照明ボックス232の操作を制御するようにコントローラ34を適合させることができ、その結果、適した視聴権を持っていないか、または認証されない人々に内容を提示しない。
【００６６】
この発明は、それのある好ましい具体化に特に関連して詳細に説明したが、この発明の趣旨および範囲からそれることなく、変形および修正が可能であることしは理解されよう。この点に関し、この発明の請求した特徴および複数の特徴を得るために、図１に示したプレゼンテーションシステム10の種々の要素は、結合され、分離され、および／または他の要素と結合できる。
【図面の簡単な説明】
【００６７】
【図１】この発明の適応型表示器システムの１実施例のブロック図
【図２】この発明に基づきイメージをプレゼンテーションするための方法の１実施例のフローチャート
【図３】この発明の適応型表示器システムの別の実施例のブロック図
【図４】ビデオ会議のためのこの発明の使用を示した図
【図５】医療情報システムに関連した、この発明の１実施例を示した図
【図６】視聴部屋内に位置する表示装置20を示した斜視図
【図７】この発明の方法の１実施例を示すフローチャート
【符号の説明】
【００６８】
11:プレゼンテーションシステム
20:表示装置
22:イメージ変調光源
24:ディスプレイドライバ
26:オーディオ・システム
30:制御システム
32:信号プロセッサ
34:コントローラ
36:内容の供給
38:ユーザインタフェース
40:プレゼンテーションスペースモニタシステム
42:イメージキャプチャーユニット
43 無線周波サンプリングシステム
44:撮影レンズユニット
45:センサシステム
46:イメージセンサ
48:プロセッサ
50:聴衆メンバー
51:壁
52:聴衆メンバー
54:聴衆メンバー
56:ドア
58:窓
60:要素プロフィールのソース
110:較正イメージを得るステップ
112:較正イメージ内の要素を特定するステップ
114:特定された要素に対するプロフィールを決定するステップ
120:表示モードに入るステップ
130:内容のプロフィールを決定するステップ
140:プレゼンテーションスペースをサンプリングするステップ
150:要素を検出するステップ
160:要素に対するプロフィールを決定するステップ
170:要素のプロフィールと内容のプロフィールスに基づき内容を選択するステップ
180:選択された内容を提示するステップ
190:継続するステップ
200:イメージ部分
202:ユーザ
204:内容の部分
206:スピーカー・システム
216:人
218:人
220:画像診断と記録メインテナンスシステム
222:ネットワーク
224:患者のデータベース
226:イメージキャプチャーシステム
228:強化された表示装置
229:認証入力体システム
230:複写サービス
232:照明ボックス
234:個人的な識別子
236:個人的なデータベース
238:真上からの照明
240:視聴部屋
242:センサシステム
244:ドア
250:識別子を検出するステップ
252:プロフィールを検出するステップ
254:認証ステップ
256:患者に関連する内容を得るステップ
258:内容を提示するステップ
Ａ:プレゼンテーションスペース
【図１】
2006514355.tif 000005
【図２】
2006514355.tif 000006
【図３】
2006514355.tif 000007
【図４】
2006514355.tif 000008
【図５】
2006514355.tif 000009
【図６】
2006514355.tif 000010
【図７】
2006514355.tif 000011
【国際調査報告】
2006514355.tif 000012
2006514355.tif 000013
2006514355.tif 000014